(57)【要約】【課題】ノートの表示部の形成が可能な部分を利用して、ノートを所持した人が手に取って、ノートに形成された内容表示部を見ると同時に、広告宣伝したい商品や案内について、広告表示部を通して、必然的に、確実に見せることができる広告宣伝媒体を提供することにある。【解決手段】本発明は、ノートの表示部の形成が可能な部分に、商品内容等を表示する文字、図形、記号、絵柄等からなる内容表示部を形成すると共に、該内容表示部以外の領域に、内容表示部の記載内容と関係のない商品や案内を広告宣伝する文字、図形、記号、絵柄等からなる広告表示部を形成したことを特徴とする広告宣伝媒体である。【選択図】図３
2004361830.tif 000002
【特許請求の範囲】
【請求項１】
ノートの表示部の形成が可能な部分に、商品内容等を表示する文字、図形、記号、絵柄等からなる内容表示部を形成すると共に、該内容表示部以外の領域に、前記内容表示部の記載内容と関係のない商品や案内を広告宣伝する文字、図形、記号、絵柄等からなる広告表示部を形成したことを特徴とする広告宣伝媒体。
【発明の詳細な説明】
【０００１】
【発明の属する技術分野】
本発明は、広告宣伝媒体に関し、さらに詳しくは、ノートを利用して、そのノートを所持した人に、広告宣伝したい商品や案内を確実に知らせ、その関心を引きつけることができる広告宣伝媒体に関するものである。
【０００２】
【従来の技術】
従来、広告宣伝媒体としては、種々のものが開発され、提案されている。例えば、新聞、雑誌等に広告欄を設け、ここに広告宣伝したい商品の商品名、商品名、製造者、販売者、商品説明事項等の商品表示にかかる文字、図形、記号、絵柄等からなる印刷画像表示を形成し、その商品の広告宣伝を行っている。あるいは、商品や案内に関するチラシ、カタログ等を作製し、これを不特定多数の人に配布し、そこに掲載されている商品や案内を広く知らせて、人々の関心を引いて広告宣伝を行う方法がある。さらに、ラジオ、テレビ、インターネット、街頭放送、街頭ネオンサイン等を利用し、音声、映像等を通して視覚や聴覚に訴えることにより商品や案内を広告宣伝する方法も広く行われている。
【０００３】
しかし、上記のような従来の広告宣伝媒体による広告宣伝は、不特定多数の人に向かって商品や案内を広告宣伝するものであり、通常、一人一人が、それを視覚を通して見たり、また、聴覚を通して聴いたりしても、広告宣伝する商品や案内について、それ程関心を引くものとなっていない。ましてや、人々は、近年、広告宣伝の氾濫による喧騒等に嫌悪感を持つようになっており、それほどに関心のない商品や案内の広告宣伝は、見たり、聴いたりすることを避け、チラシ、カタロク等に至っては、見ないで、そのまま捨ててしまい、その商品や案内の広告宣伝に振り向かないのが実状であり、有効な広告効果を得るに至っていない。
【０００４】
そこで、商品を収納した包装容器の外面を利用して、収納されている商品とは無関係である広告宣伝したい商品や案内等について、外包装容器の外面に形成した広告表示部である印刷画像表示部を通して、必然的に、購入した人が手に持って、確実に見ることになる広告宣伝媒体が提案されている（例えば、特許文献１参照。）。
【０００５】
【特許文献１】
特開平１０−２６８８１７号公報
【０００６】
【発明が解決しようとする課題】
しかしながら、上記の特開平１０−２６８８１７号公報の「広告宣伝媒体」は、商品を収納した包装容器の外面を利用して、収納されている商品や案内とは無関係である広告宣伝したい商品等の印刷画像表示部を形成したことを特徴とする広告宣伝媒体であり、ノートにおいては、その表示部分を利用して、そのノートを所持した人に、広告宣伝したい商品や案内を確実に知らせ、その関心を引きつけることができるようにノートを広告宣伝媒体とする提案はいまだ出されていない。
【０００７】
そこで本発明の目的とするところは、ノートの表示部の形成が可能な部分を利用して、ノートを所持した人が手に取って、ノートに形成された内容表示部を見ると同時に、広告宣伝したい商品や案内について、広告表示部を通して、必然的に、確実に見せることができる広告宣伝媒体を提供することである。
【０００８】
【課題を解決するための手段】
上記のような課題を解決すべく本発明は、ノートの表示部の形成が可能な部分に、商品内容等を表示する文字、図形、記号、絵柄等からなる内容表示部を形成すると共に、該内容表示部以外の領域に、前記内容表示部の記載内容と関係のない商品や案内を広告宣伝する文字、図形、記号、絵柄等からなる広告表示部を形成したことを特徴とする広告宣伝媒体である。
【０００９】
本発明によれば、ノートに形成された内容表示部以外の領域に、このノートの内容表示部の表示内容と全く無関係の商品や案内を広告宣伝する広告表示部を形成したことにより、ノートを所持した人、一人一人が、そのノートを手に取って、内容表示部に目を落とすと同時に、必然的に、確実に、そのノートに施されている商品や案内に関する広告表示部を見ることになり、これによって、極めてその商品や案内の広告宣伝機能の高い広告宣伝媒体を得ることができるものである。
【００１０】
【発明の実施の形態】
以下に、図面を参照にしながら、本発明の広告宣伝媒体の実施の形態についてさらに詳しく説明する。なお、説明を簡単にするために、各図において対応する部位には、同じ符号を付している。
【００１１】
まず、本発明の広告宣伝媒体の実施の形態について実施例をあげて説明する。
【００１２】
図１は、本発明にかかる広告宣伝媒体の実施の形態の一実施例を示す斜視図である。本発明の広告宣伝媒体Ａは、図１に示すように、ノート１を基にして、そのノート１に商品内容等を表示する文字、図形、記号、絵柄等からなる内容表示部２を形成すると共に、この内容表示部２以外の領域に、内容表示部２の表示と無関係な商品３（詳細は図示していない）の広告宣伝をする文字、図形、記号、絵柄等からなる広告表示部４を形成している。
【００１３】
本発明の広告宣伝媒体Ａでは、図１−ａに示すように、ノート１の表紙の表面（表１）に、所定の表示事項の文字、図形、記号、絵柄等からなる内容表示部２を形成し、その内容表示部２以外の領域、例えば、ノート１の裏表紙の表面（表４）に、図１−ｂに示すように、内容表示部２の記載内容と無関係である、広告宣伝する商品３の商品名ｘ、商品３を表す絵柄ｙ、商品３の性能、製造者等を表示する欄ｚ等の文字、図形、記号、絵柄等からなる広告表示部４を形成して、本発明にかかる広告宣伝媒体Ａを構成するものである。
【００１４】
すなわち、本実施例の広告宣伝媒体Ａでは、ノート１の表紙の表面（表１）の商品内容等を表示する文字、図形、記号、絵柄等からなる内容表示部２と、ノート１の裏表紙の表面（表４）の内容表示部２の記載内容と無関係な商品３の広告宣伝をする文字、図形、記号、絵柄等からなる広告表示部４との両表示部が形成されている。
【００１５】
つぎに、本発明にかかる広告宣伝媒体について、それを構成する材料、製造法等を説明する。
【００１６】
まず、本発明の広告宣伝媒体Ａであるノート１を構成する材料は、特に限定されるものではなく、白板紙等の板紙、上質紙等の薄紙等、公知のノートに使用する材料を使用することができる。
【００１７】
上記のような材料の表面または裏面に、原反の状態において、予め、例えば、文字、図形、記号、絵柄、模様等の所望の印刷絵柄を通常の印刷法、例えば、オフセット印刷、グラビア印刷、凸版印刷、シルクスクリーン印刷、転写印刷等によって表刷り印刷、あるいは裏刷り印刷等を行うことにより、ノート１に表示する文字、図形、記号、絵柄等からなる内容表示部２を形成すると共に、該内容表示部２以外の領域に、内容表示部２の表示と全く無関係の商品３を広告宣伝する文字、図形、記号、絵柄等からなる広告表示部４を形成することができるものである。
【００１８】
なお、本発明の広告宣伝媒体Ａにおいては、上記のような広告表示部４を形成するに際しては、広告表示部４を構成する文字、図形、記号、絵柄等を、通常の印刷インキを使用して形成する代わりに、例えば、蛍光性インキ、示温性インキ等を使用して広告表示部４を形成することもでき、さらには、その広告表示部４の構造を凹凸画像等にすることもでき、さらにまた、ホログラフィー等を使用して広告表示部４を形成してもよく、また、印刷インキの色数を増やして広告表示部４を形成することもできる。そして、上記のような広告表示部４を形成することにより、その機能性、広告宣伝効果等をさらに高めることが可能となるものである。
【００１９】
また、本発明の広告宣伝媒体Ａにおいて、ノート１の形状は、特に限定されるものではなく、公知のノートの形状であればよい。
【００２０】
なお、本発明の広告宣伝媒体Ａにおいて、広告宣伝を行なう商品３としては、例えば、食品、菓子、果汁・酒・油・調味料等の飲料、洗剤・歯磨き粉等の日用品、雑貨品、医薬品、テレビ・冷蔵庫・洗濯機・掃除機等の電気製品、パソコン、ゲーム機、オーディオ製品、自動車、ゴルフ道具・サーカー道具・野球道具等の運動用具等の種々の商品を対象とすることができる。また、効果的な宣伝内容としては、旅行案内、学校案内、寺社案内、企業案内をはじめ、企業あるいは公共団体が行なうキャンペーンや行事の案内等があげられる。
【００２１】
また、ノート１の商品内容等を表示する内容表示部２と無関係な商品３の広告表示部４の内容のデータを予めアンケート調査等にて調査したデータベースから引き出して選択して広告表示部４を形成する。このように広告宣伝内容をデータベース管理することで、特定の個人、地域、期間に効率よく広告宣伝することができることになる。
【００２２】
また、上記の例示は、本発明の広告宣伝媒体について、一実施例を示したものであり、本実施例では広告表示部４がノート１の裏表紙の表面（表４）に形成されているが、特に限定されるものではなく、図２に示すような表紙の表面（表１）、表紙の裏面（表２）、裏表紙の裏面（表３）、頁部１１等にも形成してもよい。
【００２３】
【実施例】
つぎに、上記の本発明について以下に具体例を挙げてさらに詳しく本発明を説明する。
【００２４】
ノート１の表紙の表面（表１）の一部（下部）にノート１の商品内容を表示する内容表示部２を形成し、そのノートの内容表示部２以外の領域（上部）にノート１の内容表示部２と無関係な商品３である自動車を広告宣伝する、商品名、絵柄、性能、製造者、販売者等の広告表示部４を印刷して形成した。このように、ノート１を、自動車の広告宣伝をする広告表示部４が印刷された広告宣伝媒体Ｂとすることができ、スーパー、コンビニエンスストアー、文房具店等のチャンネルで自動車の広告宣伝をすることができた。
【００２５】
【発明の効果】
以上の説明で明らかなように、本発明の広告宣伝媒体は、ノートの内容表示部以外の領域に、このノートの内容表示部の内容と全く無関係の商品や案内を広告宣伝する広告表示部を形成したことにより、ノートを所持した人、一人一人が、そのノートを手に取って、ノートの内容表示部に目を落とすと同時に、必然的に、確実に、そのノートに施されている商品や案内に関する広告表示部を見ることになり、これによって、ノートを極めて商品や案内の広告宣伝機能が高い広告宣伝媒体とすることができるという効果を有するものである。
【図面の簡単な説明】
【図１】本発明にかかる広告宣伝媒体の実施の形態の一実施例を示す斜視図である。
【図２】本発明にかかる広告宣伝媒体のノートの各部を示す斜視図である。
【図３】本発明にかかる広告宣伝媒体の別の実施例を示す斜視図である。
【符号の説明】
Ａ  広告宣伝媒体
Ｂ  広告宣伝媒体
１  ノート
２  内容表示部
３  商品
４  広告表示部
ｘ  商品の商品名
ｙ  商品を表す絵柄
ｚ  商品の性能、製造者等を表示する欄
表１  表紙の表面
表２  表紙の裏面
表３  裏表紙の裏面
表４  裏表紙の表面
１１  頁部
【図１】
2004361830.tif 000003
【図２】
2004361830.tif 000004
【図３】
2004361830.tif 000005